(57)【要約】【課題】電子ボード装置を用いて行われる会議の開始時間を、会議後においても確認可能であり、会議の所要時間を把握する。【解決手段】絵や文字等の画像が繰り返し消し書きされる書き込み対象ボード２に、外力が与えられたことを検出する外力検出手段１５と、書き込み対象ボード２の面上を走査しながら書き込みマーカー６によって書き込まれた画像を読み取り、読み取った画像を画像データへ変換する画像読取変換手段１０と、日時を継続的に監視し、外力検出手段１５が外力を検出したときの外力検出日時と画像データの外部出力指示が与えられたときの外部出力日時とを記憶する日時監視手段１１と、画像データに外力検出日時と外部出力日時とを付加して外部へ出力する外部出力手段１２と、を備える。【選択図】図２
2008030304.tif 000002
【特許請求の範囲】
【請求項１】
絵や文字等の画像が繰り返し消し書きされる書き込み対象ボードに、外力が与えられたことを検出する外力検出手段と、
前記書き込み対象ボードの面上を走査しながら画像書込手段によって書き込まれた画像を読み取り、読み取った画像を画像データへ変換する画像読取変換手段と、
日時を継続的に監視し、前記外力検出手段が外力を検出したときの外力検出日時と前記画像データの外部出力指示が与えられたときの外部出力日時とを記憶する日時監視手段と、
前記画像データに前記外力検出日時と前記外部出力日時とを付加して外部へ出力する外部出力手段と、を備えたことを特徴とする電子ボード装置。
【請求項２】
前記日時監視手段は、当該電子ボード装置がリセットされから、最初に前記外力検出手段が外力を検出した外力検出日時を記憶することを特徴とする請求項１に記載の電子ボード装置。
【請求項３】
前記日時監視手段は、前記外部出力指示が与えられてから、最初に前記外力検出手段が外力を検出した外力検出日時を記憶することを特徴とする請求項１または２に記載の電子ボード装置。
【請求項４】
前記外力検出手段は、前記画像書込手段によって前記書き込み対象ボードに与えられる圧力を検出することを特徴とする請求項１〜３の何れかに記載の電子ボード装置。
【請求項５】
前記外力検出手段は、前記画像書込手段によって前記書き込み対象ボードに与えられる振動を検出することを特徴とする請求項１〜４の何れかに記載の電子ボード装置。
【発明の詳細な説明】
【技術分野】
【０００１】
本発明は、絵や文字等の画像が繰り返し消し書きされる書き込み対象ボードに書かれた画像を読み取り、読み取られた画像を印刷して外部へ出力する電子ボード装置に関する。
【背景技術】
【０００２】
従来、滑らかなつやのある白い板で、その表面にエナメルや磁器の鉄鋼などでコーティングされたホワイトボードが周知となっている。ホワイトボードにはチョークの代わりにインクを使用するホワイトボードマーカーによって文字や画像等を書くことができ、繰り返し消し書きが可能になっている。
【０００３】
また、近年では、ホワイトボードの面上を走査する走査手段と、この走査手段の走査出力に応じて、ホワイトボードの表面上に書かれた画像のコピーを印刷する印刷手段とを備えた電子ボード装置も周知となっている。
【０００４】
例えば、特許文献１には、現在の日時を出力するカレンダ時計と、電源断時に上記カレンダ時計の動作を継続させるバッテリバックアップ手段と、電源投入後の通算コピー印刷頁数を記憶する頁数記憶手段と、上記カレンダ時計の日時と頁数記憶手段の頁数とを設定するキー入力手段とを設けた電子ボード装置が開示されている。
【０００５】
特許文献１に記載の電子ボード装置は、コピー印刷時の日時と電源投入後の通算コピー印刷頁数とをホワイトボードの面上に書かれたコピー対象に付加して印刷するように構成されている。したがって、何回もホワイトボードに新たな文字などを書き、その都度コピーを印刷したとしても、その整理を容易に行うことができる。
【０００６】
【特許文献１】特開平０５−４３６５７号公報
【発明の開示】
【発明が解決しようとする課題】
【０００７】
しかしながら、上記のような電子ボード装置では、印刷結果に印刷される日時はコピー印刷を指示した日時が印刷されるだけなので、複数枚にわたって日時が印刷されていても会議の所要時間を確認することはできない。
【０００８】
本発明は、上記課題を考慮し、電子ボード装置を用いて行われる会議の開始時間を、会議後においても確認可能であり、会議の所要時間を把握することができるようすることを目的とする。
【課題を解決するための手段】
【０００９】
本発明は、絵や文字等の画像が繰り返し消し書きされる書き込み対象ボードに、外力が与えられたことを検出する外力検出手段と、前記書き込み対象ボードの面上を走査しながら画像書込手段によって書き込まれた画像を読み取り、読み取った画像を画像データへ変換する画像読取変換手段と、日時を継続的に監視し、前記外力検出手段が外力を検出したときの外力検出日時と前記画像データの外部出力指示が与えられたときの外部出力日時とを記憶する日時監視手段と、前記画像データに前記外力検出日時と前記外部出力日時とを付加して外部へ出力する外部出力手段と、を備えたことを特徴とする。
【００１０】
上記構成によれば、画像書込手段によって書き込み対象ボードに与えられた外力を検出したときの外力検出日時と、画像データが外部へ出力されるときの外部出力日時と、を記憶する日時監視手段を備えている。そして、外部出力手段は、画像データに外力検出日時と外部出力日時とを付加して外部へ出力するように構成されている。すなわち、出力結果を参照すれば、画像書込手段によって書き込み対象ボードに与えられた外力が検出されたときから画像データが出力されるまでの時間を把握することが可能である。したがって、例えば、本発明を会議における板書書込みボードとして使用した場合に、外力検出日時を会議の開始時間として、外部出力日時を会議の終了日時として捉えれば、会議後においても開始時間と終了時間とを確認することが可能である。
【００１１】
また、本発明において、前記日時監視手段は、当該電子ボード装置がリセットされから、最初に前記外力検出手段が前記画像書込手段による外力を検出した外力検出日時を記憶することを特徴とする。
【００１２】
上記構成によれば、電子ボードがリセットされる毎に外力検出日時を記憶することができる。したがって、例えば、長時間にわたる会議において、途中で会議を中断するような場合でも、会議再開にあたって電子ボードをリセットすれば、リセット後最初に画像書込手段による外力を検出した外力検出日時を会議再開時間として記憶することが可能となる。
【００１３】
また、本発明において、前記日時監視手段は、前記外部出力指示が与えられてから、最初に前記外力検出手段が外力を検出した外力検出日時を記憶することを特徴とする。
【００１４】
上記構成によれば、電子ボード装置に対して外部出力指示が与えられる毎に、外力検出日時を記憶することができる。したがって、例えば、１つの電子ボード装置を用いて複数の会議を連続して行うような場合でも、前の会議の終了に伴って外部出力指示が与えられ、画像読取変換手段によって書き込み対象ボードの面上を走査して出力結果が得られた後、最初に外力検出手段による外力を検出した外力検出日時を次の会議における開始時間として記憶することが可能となる。また、リセット後及び外部出力指示が与えられた後の両方で外力検出日時を記憶することも可能である。
【００１５】
また、本発明において、前記外力検出手段は、前記画像書込手段によって前記書き込み対象ボードに与えられる圧力を検出することを特徴とする。また、前記外力検出手段は、前記画像書込手段によって前記書き込み対象ボードに与えられる振動を検出することを特徴とする。
【００１６】
上記構成によれば、画像書込手段を用いて書き込みしたときに、書き込み対象ボードにかかる圧力や振動を検出することができる。したがって、書き込み対象ボードに加わった圧力や振動を検出することで外力検出日時を記憶することが可能である。
【発明の効果】
【００１７】
本発明によれば、電子ボード装置を用いて行われる会議の開始時間を、会議後においても確認可能であり、会議の所要時間を把握することができる。
【発明を実施するための最良の形態】
【００１８】
以下、本発明に係る電子ボード装置の実施形態について図面を参照して説明する。図１は、本実施形態の電子ボード装置の外観模式図である。
【００１９】
（電子ボード装置の概略について）
図１に示すように、電子ボード装置１は、主として、書き込み対象ボード２、書き込み対象ボード２の面上を走査して面上に描かれた画像を読み取る画像読取装置３、画像読取装置３によって読み取られた画像データを外部出力する印刷装置４とを備えている。外部出力装置４には、電子ボード装置１の電源ボタン７、リセットボタン８、外部出力指示ボタン９と、が設けられており、各ボタン操作によって動作指示が与えられるようになっている。
【００２０】
書き込み対象ボード２の表面内側には、略密接状態に加圧センサ５が配置されており、書き込みマーカー６（画像書込手段）によって画像が書き込まれたときに加えられる筆圧を検出するよう構成されている。すなわち、加圧センサ５が筆圧を検出することによって、書き込み対象ボード２への書き込み状態（電子ボード装置の使用状態）を把握することが可能となっている。
【００２１】
（電子ボード装置の内部処理について）
次に、電子ボード装置２における加圧センサ５を用いて、会議の開始時間を把握する手段について具体的に説明する。図２は、電子ボード装置２の内部処理を説明する機能ブロック図である。
電子ボード装置２は、主として、指示入力手段１３、主制御部１４、外力検出手段１５、画像読取変換手段１０、日時監視手段１１、外部出力手段１２とを備えている。
【００２２】
指示入力手段１３は、外部出力装置４に備えられた電源ボタン７、リセットボタン８、外部出力指示ボタン９によって与えられる、各動作指示を主制御部１４を介して各機能部へ与える。主制御部１４は、電子ボード装置２の全体動作を制御する。
外力検出手段１５は、書き込みマーカー６の筆圧に起因する入力信号を検出する。すなわち、書き込み対象ボード２に配置された加圧センサ５による圧力検出処理を制御する。
【００２３】
画像読取変換手段１０は、外部出力指示ボタン９からの外部出力指示に応じて、画像読取装置３の動作処理を制御する。画像読取装置３は、書き込み対象ボード面側に例えば光学式の画像読取センサを備えている。図１に示すように、書き込み対象ボード２の長手方向Ｘの往復動作を制御するとともに、書き込み対象ボード面上の走査に伴って画像読取センサによって読み取った画像を、画像データへ変換する。
【００２４】
日時監視手段１１は、日時を継続的に監視し、外部出力指示ボタン９からの外部出力指示に応じて、画像データが印刷装置４から出力されるときの外部出力日時を記憶する。また、外力検出手段１５が加圧センサ５による入力信号を検出すると、検出したときの外力検出日時を記憶する。
【００２５】
外部出力手段１２は、画像読取変換手段１０によって変換された画像データに基づき印刷イメージを生成し、印刷装置４による出力処理を制御する。本実施形態の電子ボード装置１は、インクジェット方式の印刷装置４を搭載し、外部出力手段１２は、図示せぬ印刷ヘッドやキャリッジの駆動を制御するよう設定されている。また、印刷イメージ生成においては、日時監視手段１１が記憶している外部出力日時と外力検出日時とを画像データに付加し、印刷結果を出力するよう構成されている。
【００２６】
（画像データに外部出力日時と外力検出日時とを付加した印刷結果の出力処理について）
次に、画像データに外部出力日時と外力検出日時とを付加した印刷結果の出力処理について説明する。図３は、印刷結果の出力処理までを説明するフローチャート、図４は、図３のフローにしたがって、実際に得られた出力結果を示した図である。
【００２７】
ユーザが、会議開始にあたって、電子ボード装置１の電源ボタン７をＯＮすると、電子ボード装置１が初期化される。本実施形態では電源ＯＮによる初期化をオートリセット、電源ＯＮ後、リセットボタン８による初期化をマニュアルリセットとして捉え、電源ボタン７及びリセットボタン８による指示をまとめてリセット指示として以下説明する。
【００２８】
ユーザが書き込みマーカー６によって書き込み対象ボード２に書き込みを行うと、外力検出手段１５が加圧センサ５による書き込みマーカー６の筆圧を検出する（ステップＳ１１）。このとき、日時監視手段１１は、指示入力手段１３を介してオートリセット指示を受けた後、最初に外力検出手段１５が書き込みマーカー６による筆圧を検出したときの外力検出日時を記憶する（ステップＳ１２）。
【００２９】
ユーザは、書き込み対象ボード２に書き込みを行い、会議を進行していく。その後、途中でリセットボタン８からのマニュアルリセット指示もなく（ステップＳ１３：Ｎｏ）、外部出力指示ボタン９による外部出力指示があった場合には（ステップＳ１４：Ｙｅｓ）、指示入力手段１３は、主制御部１４を介して、画像読取変換手段１０が画像読取装置３を駆動させて、書き込み対象ボード２の面上の画像を走査して読み取り、画像データへ変化する（ステップＳ１５）。主制御部１４は、指示入力手段１３から外部出力指示を受けると、そのときの外部出力日時を日時監視手段１１によって記憶する（ステップＳ１６）。
【００３０】
そして、外部出力手段１２が、画像読取変換手段１０によって変換された画像データに、日時監視手段１１が記憶している「外力検出日時」と「外部出力日時」とを付加した印刷イメージを生成し、図示せぬ各種印刷機構を駆動させて印刷を実行する（ステップＳ１７）。電源ボタン７によって電源ＯＦＦ指示があれば、電子ボード装置１は処理を終了する（ステップＳ１８：Ｙｅｓ）
【００３１】
上述した、処理によって得られた印刷結果を図４（ａ）に示す。左最上位に電子ボード装置１が使用された日、すなわち会議開催日が印刷され、その下段には、オートリセット後、最初に筆圧を検出した外力検出時間、最下段には、画像データが外部へ出力されるときの外部出力時間が印刷されている（ここでは、「外力検出時間」をおおよその会議開始時間として印刷している）。このように、日付、開始時間及び出力時間も印刷しておけば、後々この印刷結果を参照すれば、会議開始時間、会議終了時間及び会議所要時間を把握することが可能である。
【００３２】
一方、ステップＳ１８で電源ＯＦＦ指示がなければ（ステップＳ１８：Ｎｏ）、ステップＳ１１からの処理を繰り返す。この場合、ステップＳ１１は、画像読取装置３が書き込み対象ボード２の面上を走査してから、最初に書き込みマーカーの筆圧を検出したときの外力検出時間を記憶することになる（ステップＳ１２）。すなわち、図４（ｂ）に示すように、一度、画像読取装置３が書き込み対象ボード２の面上を走査し画像読み取りが行われ、印刷装置から１枚目の印刷結果Ａが出力されても、電源ＯＦＦ指示を受信しない限り、再び書き込みマーカー６の筆圧を検出すれば、外力検出日時を記憶する。すなわち、２枚目の印刷結果Ｂの開始時間として印刷することが可能である。
【００３３】
したがって、１つの会議において複数回にわたって画像読取装置３を走査しなければならない場合には、印刷結果も複数枚におよぶことになるが、１枚ごとに会議開催日、開始時間及び出力時間が印刷されるので、複数枚の印刷結果のうち最も早い開始時間を参照すれば、会議開始時間が分かり、最も遅い出力時間を参照すれば会議終了時間が分かるので、複数枚におよんだ場合でも会議所要時間を把握することが可能である。さらに、印刷結果Ａ、Ｂそれぞれに対応する板書毎の作成所要時間も把握することができる。
【００３４】
ところで、ステップＳ１３において、リセット指示を受信した場合、すなわち、ユーザのリセットボタン８の投入によってマニュアルリセット指示があった場合にも、日時監視手段１１は、指示入力手段１３を介して得られたマニュアルリセット指示を受けた後、最初に外力検出手段１５が書き込みマーカー６による筆圧を検出したときの外力検出日時を記憶する（ステップＳ１２）。なお、リセットボタン８によるマニュアルリセット指示は、例えば、会議途中に休憩を設け、休憩終了後、会議再開にあたってユーザがリセットボタン８を押すことによって与えられる。
【００３５】
この場合、図４（ｂ）に示すように、開始時間及び出力時間に会議の「再開時間」を追加して出力することが可能となる。このように、再開時間も印刷結果に反映させることができ、後々この印刷結果を参照すれば、会議開始時間、会議終了時間及び会議所要時間を把握できるほか、会議に休憩等の中断があったことも把握することが可能である。
【００３６】
なお、本実施形態では、書き込み対象ボード２の前面にわたって、加圧センサを配置する構成としたが、勿論これに限られることはない。すなわち、ユーザが書き込み対象ボード２のどの部分に最初の書き込みを行うかによってヴァリエーションはさまざまである。例えば、左上部分、右上部分、上部長手方向全域、縞模様状、市松模様状等、費用対効果を考慮して決定することが可能である。
【００３７】
また、本実施形態では、書き込み対象ボード２に対する外力を検出するために、書き込みマーカー６による筆圧を検出する加圧センサを設ける構成としたが、これに限られるものではない。例えば、書き込み対象ボードに振動センサを設ければ、書き込み対象ボード２に対して書き込みマーカー６による書き込みが行われたときの振動を検出することで、外力を検出することができる。
【００３８】
また、加圧センサと振動センサを両方備えた構成としてもよい。この場合には、外力検出手段１５は、書き込みマーカー６によって書き込み対象ボード２に与えられる圧力を検出するとともに、書き込みマーカー６によって与えられた振動を検出して振動回数を計測し、日時監視手段１１は、所定の振動回数が計測されたときの振動回数計測日時を記憶し、外部出力手段１２は、所定の振動回数が検出されたときの書き込みマーカー６による書き込み対象ボード２の加圧位置に対応する画像データ対応位置に振動回数計測日時を追加して外部へ出力することも可能となる。
【００３９】
この場合には、目安になる文字画数に対応する振動回数を予め設定しておけば、おおよその文字数が記載されたときに、記載された位置に振動回数計測日時を出力することができるので、印刷結果を参照すれば、より詳細な会議の進捗状況も後に確認することが可能となる。
【図面の簡単な説明】
【００４０】
【図１】本実施形態の電子ボード装置の外観模式図である。
【図２】本実施形態の電子ボード装置の内部処理を説明する機能ブロック図である。
【図３】印刷結果を出力するまでの処理を説明するフローチャートである。
【図４】図３のフローにしたがって、実際に得られた印刷結果を示した図である。
【符号の説明】
【００４１】
１：電子ボード装置、２：書き込み対象ボード、３：画像読取装置、４：印刷装置、５：加圧センサ、６：書き込みマーカー、７：電源ボタン、８：リセットボタン、９：出力指示ボタン、１０：画像読取変換手段、１１：日時監視手段、１２：外部出力手段、１３：指示入力手段、１４：主制御部、１５：外力検出手段、Ａ：１枚目の印刷結果、Ｂ：２枚目の印刷結果
【図１】
2008030304.tif 000003
【図２】
2008030304.tif 000004
【図３】
2008030304.tif 000005
【図４】
2008030304.tif 000006